Podtech/llm-jp-corpus-v4-ja_patent huggingface dataset:
(57)【要約】【課題】    洗濯物をハンガーから外す時に広げた状態で使用し、シート内の物を衛生的に保護すると共に、乾燥を促すことで洗濯の効率を良くする洗濯物乾燥シートを提供する。【解決手段】    本体（１）はドミット芯など伸縮性のある不織布（４）やメッシュ（５）など通気性の良い素材を用い、２枚重ねなどにより耐久性を持たせ、本体（１）の両側に持つ手部分（２）を設け、両側にギャザー（３）を設けたことを特徴とする洗濯物乾燥シート。【選択図】図１
2007289618.tif 000002
【特許請求の範囲】
【請求項１】
本体（１）はドミット芯など伸縮性のある不職布（４）やメッシュ（５）など通気性の良い素材を用い、２枚重ねなどにより耐久性を持たせ、本体（１）の両側に持つ手部分（２）を設け、両側にギャザー（３）を設けたことを特徴とする洗濯物乾燥シート。
【発明の詳細な説明】
【技術分野】
【０００１】  本発明は、洗濯物をハンガーから外す時に広げた状態で使用し、シート内の物を衛生的に保護すると共に乾燥を促すことで洗濯の効率を良くする洗濯物乾燥シートに関するものである。
【背景技術】
【０００２】  従来は、洗濯物をハンガーから外す時、下にバラバラに落ちるため、ひとまとめに整えてからその場でたたむといった流れだった。そのため、取り入れる過程において、小物などを取り落としてしまうこともあった。
【発明の開示】
【発明が解決しようとする課題】
【０００３】  そのために次のような問題があった。
（イ）洗濯物を取り入れる際に、洗い立ての物を置く衛生的な場所を確保する必要があった。
（ロ）靴下などの小物を取り落としてしまい、探す手間など効率が悪かった。
（ハ）ハンガーから外した所でたたまなければいけないので、部屋を移動したい時など不便だった。
（ニ）すぐにたためない時など、洗濯物を重ねておくことで、下になった物が湿気を帯びてしまうことがあった。
本発明は、これらの問題点を解決するためになされたものである。
【課題を解決するための手段】
【０００４】  本体（１）はドミット芯など伸縮性のある不織布（４）やメッシュ（５）など通気性の良い素材を用い、２枚重ねなどにより耐久性を持たせ、本体（１）の両側に持つ手部分（２）を設け、両側にギャザー（３）を設けたことを特徴とする洗濯物乾燥シートである。
【発明の効果】
【０００５】  本発明は、シート内に洗濯物をまとめておくことができるため、小物を取り落とす心配がなくなる。
また両端を合わせることで袋状になるため、そのまま持ち運ぶこともでき、都合の良い場所に移動して次の作業に移ることができる。本体は、通気性の良い素材にすることで乾燥を促し、たたむ段階まで衛生的に保管しておくことができる。
【発明を実施するための最良の形態】
【０００６】  本発明を実施するための最良の形態を説明する。
（イ）本体（１）はドミット芯など伸縮性のある不織布（４）やメッシュ（５）など通気性の良い素材を用い、２枚重ねなどにより耐久性を持たせる。
（ロ）本体（１）の両側に持つ手部分（２）を設ける。
（ハ）本体（１）の袋の両側にギャザー（３）を設ける。
（二）まち部分を作り、収納力を増したり、乾燥剤などを付けることができる。
以上のように構成された洗濯物乾燥シートである。
これを使用する時は、洗濯物を取り入れる際に平面にシート状に広げたり、籠などの中に敷いておき、その範囲内でハンガーから取り外す。更に、両側を合わせることで、そのまま持ち運ぶことができる。この結果、洗濯の効率が良くなり、小物などを取り落とす心配がない。
【図面の簡単な説明】
【０００７】
【図１】本発明の斜視図
【図２】本発明の使用状態を示す斜視図
【図３】本発明の使用状態を示す説明図
【符号の説明】
【０００８】        １  本体
２  持つ手部分
３  ギャザー
４  不織布
５  メッシュ
【図１】
2007289618.tif 000003
【図２】
2007289618.tif 000004
【図３】
2007289618.tif 000005
(57)【要約】      （修正有）【課題】この発明は、歯の表側とともに、裏側や奥の方の歯、及び歯と歯肉との境目を磨きやすく、汚れを除去しやすくする歯ブラシに関するものである。【解決手段】  毛の束の集合部分（１）の上面を曲面状、すなわち大きな球の面の一部のような形状になるように、それぞれの毛の長さを調整して、外側部分を低くする。こうすることによって、歯を磨くときに、どの歯の、どの部分にも円滑に接して、柄（２）の操作を容易にし、歯の汚れを除去しやすくする。【選択図】図１
2007289615.tif 000002
【特許請求の範囲】
【請求項１】
毛の束の集合部分（１）につき、毛の長さを中央部を長くし、その外側、即ち先端部と両側部と柄の手元に向かって少しずつ短くした歯ブラシ。
【請求項２】
毛の束の集合部分（１）の毛の長さを先端部と両側部へ向かって少しずつ短くした歯ブラシ。
【請求項３】
毛の束の集合部分（１）の毛の長さを、先端部へ向かって少しずつ短くした歯ブラシ。
【発明の詳細な説明】
【発明の詳細な説明】
【技術分野】
【０００１】この発明は、特に歯の裏側や口の奥の方の歯、及び歯肉と歯の境目を磨きやすくするものである。
【背景技術】
【０００２】従来の歯ブラシは、人の歯に接する毛の束の集合部分（１）の毛の長さが、すべて同じであり、毛の束の集合部分（１）の上面は平面であった。
このために、歯への接触具合が悪く、口の奥の方の歯や歯の裏側、歯と歯の間の、すみずみまで汚れを除去するのは困難であった。
また、歯の表側を磨く時も、ブラシを円滑に動かしにくかった。
【発明が解決しようとする課題】
【０００３】歯はＵ字型に並んでおり、口を開けたところから、柄を操作しても、柄が斜めに入っているので、奥の方の歯や、歯の裏側、歯肉との境目などは磨きにくい。この状況の歯を、磨きやすくしようとするものである。
【課題を解決するための手段】
【０００４】従来の歯ブラシの毛の束の集合部分（１）の上面は、平面状であるので、この部分を曲面状に近い形になるようにする。
そのために、毛の長さを中央部よりも外側部のものを短くする。すなわち、中央部よりも先端部や両側部および柄の手で持つ方などに向かって毛の長さを少しずつ短くしてある歯ブラシとする。
いいかえると、毛の束の集合部分（１）の上面を、ゆるやかで大きな球の表面の形状に似たものとするのである。
【発明を実施するための最良の形態】
【０００５】従来の歯ブラシと、同じように使用できるが、毛の束の集合部分（１）の上面が、曲面状であるので、歯の表側も、特に裏側や奥の歯などにも円滑に接して磨けるので汚れなどを除去しやすい。
磨く時に柄を動かしやすい。【０００６】口を開けて歯ブラシを入れ、奥の歯や歯の裏側を良く磨くのは難しい。それは歯がＵ字型に並んでいるからだ。
この場合、柄は斜めになっているが、この発明の歯ブラシの毛の束の部分（１）の上面は、どこから見ても曲面状とし大きな球の表面のようにしてあるので、どの歯に適切に接して良く磨ける。
【発明の効果】
【０００７】毛の束の集合部分（１）の上面が、歯の、どの部分にも密着しやすいので、歯の汚れを除去しやすい。柄を動かしやすく、子供や老人も使いやすい。
【図面の簡単な説明】
【図１】本発明の、請求項１の側面図
【図２】本発明の、請求項２の側面図
【図３】本発明の正面図
【符号の説明】
１は毛の束の集合部分
２は柄
【図１】
2007289615.tif 000003
【図２】
2007289615.tif 000004
【図３】
2007289615.tif 000005
(57)【要約】【課題】恥骨や坐骨が押し広げられて四角形型に変形した骨盤をすぼめて矯正ができ、しかも座り心地がよく、長時間使用してもお尻が痛くならない骨盤クッションを提供することである。【解決手段】外装カバー内に、硬めの弾性体からなる凹状に形成された骨盤載置部の上面に、衝撃吸収性にすぐれた軟らかな弾性体を装着したものを収納したクッションとする。【選択図】図３
2007289619.tif 000002
【特許請求の範囲】
【請求項１】
外装カバー内に、硬めの弾性体からなる凹状に形成された骨盤載置部の上面に、衝撃吸収性にすぐれた軟らかな弾性体を装着したものを収納した骨盤矯正クッション。
【発明の詳細な説明】
【技術分野】
【０００１】本発明は、骨盤の歪み、緩みを矯正するクッションに関するものである。
【背景技術】
【０００２】生活習慣において偏った悪い姿勢を取り続けたり、また加齢による筋肉の衰えなどにより骨盤に大きな負担がかかり、骨盤の歪み、緩みが生じる。
特に女性の場合、出産に備えて骨盤を繋ぐ靭帯が緩みやすくなっており、出産時は恥骨結合の幅が伸びるので出産後に異常が生じやすい傾向にある。【０００３】骨盤の歪み、緩みは下半身太りなどの肥満や腰痛、肩こり、膝痛といった関節や神経の不調、生理痛・尿漏れ・便秘などの体調不良が現れやすくなる。【０００４】骨盤の歪み方で女性に増えているのは、骨盤が開いてしまう四角形型である。正常な骨盤は左右対称で恥骨どうしがしっかり結合していて、正面から見ると逆三角形形状をしている。ところが、骨盤を支える筋肉の衰えや、出産の影響、パソコンや車の運転で長時間座りっぱなしなど偏った生活習慣によって骨盤に過大な負担がかかり、靭帯が緩み、恥骨や坐骨が押し広げられ、四角形型に変形してしまうのである。【０００５】従来、骨盤の歪み、緩みを矯正する器具として、中央に穴の開いたドーナツ型の骨盤クッションがある。クッションに座ると、お尻の中央が穴の中心に、すぼまるようにおさまり、骨盤にかかる負荷が分散され、クッション上でバランスをとろうとする意識も手伝って自然に背筋が伸びて姿勢がよくなり、その結果、骨盤の歪みが矯正されるというものである。
しかし、低反発性のポリウレタンフォームでできたクッションに座ると体重に合わせてお尻がゆっくりと沈み込んで、確かに座り心地はよいが、骨盤をすぼめ、正しい位置に固定させる方向の力は働かない。そのため、恥骨や坐骨が押し広げられ、四角形型に変形した骨盤の矯正には効果がないのである。【０００６】上記の問題点を解決しようとした、凹状部に骨盤が嵌め込まれる構造の、硬めに成型した低発泡樹脂製の骨盤クッションがある。座ると身体の重みで反作用の力が働き、坐骨を内側に締め付けることで、骨盤の開きを矯正しようとするものである。しかし、このクッションに座ると、座り心地が悪く不安定なだけでなく、短時間でお尻が痛くなってしまう。腰骨の矯正どころではなく、二度と使う気にはならない器具である。
【発明の開示】
【発明が解決しようとする課題】
【０００７】本発明の技術的課題は、前述の問題を解決するため、恥骨や坐骨が押し広げられて四角形型に変形した骨盤をすぼめて矯正ができ、しかも座り心地がよく、長時間使用してもお尻が痛くならない骨盤クッションを提供することである。
【課題を解決するための手段】
【０００８】前記課題を解決するため本発明は、外装カバー内に、硬めの弾性体からなる凹状に形成された骨盤載置部の上面に、衝撃吸収性にすぐれた軟らかな弾性体を装着したものを収納したクッションとする。【０００９】骨盤載置部は骨盤下方の坐骨をぐっと押し込めるような凹状に形成されており、座った状態では常に硬めの弾性体の反発力によって、骨盤が内側に締め付ける構造になっている。骨盤載置部の上面に装着した軟らかな弾性体は、そのすぐれた衝撃吸収性により、硬めの弾性体の圧力を痛みと感じさせず、快適な座り心地を提供する。
【発明の効果】
【００１０】上述した構成によ、座り心地がよく、長時間使用してもお尻が痛くならないクッションを毎日使用することで、骨盤を常時すぼめ、四角形型に変形した骨盤を除々に無理なく矯正できるものである。
【発明を実施するための最良の形態】
【００１１】本発明の実施の形態を図１〜図３に基づいて説明する。【００１２】図１は本発明の実施形態を示す斜視図である。図２は本発明の実施形態の横断面図である。硬めのポリウレタンフォームからなり左右両側に膨出部１を有する骨盤載置部２の上部に、低反発ポリウレタンフォームからなる衝撃吸収部３を装着したものを、ポリエステル繊維生地からなる外装カバー４内に収納したものである。【００１５】図３は発明品の使用状態を説明する横断面図で、クッションに座ると坐骨部分が骨盤載置部２の凹状部分にぐっと押し込められるように嵌り込む。であるから、座った状態では常に硬めの弾性体の反発力によって、骨盤が内側に締め付けられ、且つ低反発ポリウレタンフォームの衝撃吸収性により、硬めの弾性体の圧力を痛みと感じさせず、快適な座り心地を提供する。【００１６】しかも外観は通常のクッションと変わらないので、傍目を気にすることなく、何時でも何処でも使用できるという効果もある。
【図面の簡単な説明】
【図１】    発明品の斜視図
【図２】    発明品の横断面図
【図３】    発明品の使用状態を説明する横断面図
【符号の説明】
１      膨出部
２      骨盤載置部
３      衝撃吸収部
４      外装カバー
【図１】
2007289619.tif 000003
【図２】
2007289619.tif 000004
【図３】
2007289619.tif 000005
(57)【要約】【課題】  雨の日は傘を畳んだ際、床に雨水が落ちて建物内が汚れてとても不衛生であった。それを防ぐような道具を作るのが目的であった。【解決手段】  傘の先端に薄いプラスチックコップ（１）をつけて、その中にスポンジ（２）を入れる事によって、傘を畳んだ際に流れてくる雨水がスポンジに吸収され、下に落ちなくなった。【選択図】図５
2007289608.tif 000002
【特許請求の範囲】
【請求項１】
水を吸い込むスポンジ（２）が入ったプラスチックカップ（１）を先端に取り付けた傘。
【発明の詳細な説明】
【発明の詳細な説明】
【技術分野】
【０００１】  この発明は、雨水を吸い込むスポンジの入ったコップを取り付けた傘に関するものである。
【背景技術】
【０００２】  従来の傘は畳んだ際に雨水が下に落ち、とても不衛生であった。
【発明が解決しようとする課題】
【０００３】  本発明はその欠点をなくすために、雨水が下にこぼれないようにする事を課題に研究をすすめた。また、現在一般的にスーパーなどで使われているビニールをかぶせるといった資源とコストが必要な発明ではなく、より一般的で低コストなものにするよう心がけた。
【課題を解決するための手段】
【０００４】  雨水が下にこぼれないようにするためには、それを受け止めるための入れ物を傘に取り付ける事である。その入れ物はどのような物が理想かを考えた結果、薄いプラスチックコップが最上である事を発見した。
この雨水受けはコップに入れた切れ目によって、傘の開閉に連動するように出来ている。すなわち傘が開いているときはコップも開き、傘を閉じたときにはコップも閉じて雨水を受け止める。これにより通常の傘の機能には全く不自由することなく雨水受けを利用することが出来る。
もうひとつの機能は、コップの中にスポンジを取り付ける事によって、傘を閉じた後に再び傘を差す際、溜まった雨水が傘のビニールをつたって手にかからないようにした事である。
また、スポンジにしみこんだ雨水は次に傘を差した際に徐々に流れ出るし、傘を差さない場合であっても、一日置いておけばほとんど蒸発する。
【発明の効果】
【０００５】  本発明の効果は、雨の日における駅や公共施設、百貨店など傘を持って歩く事が多い場所で、床の汚れが減るということです。これにより衛生面や掃除のコスト削減などの効果が考えられます。それに雨水を受け止めるための使い捨てビニールを設置している建物などでは、それが不要になり、環境面・コストの面での効果も期待できます。
【図面の簡単な説明】
【図１】  傘に本発明を取り付けた場合の斜視図（傘を差した状態）
【図２】  傘に本発明を取り付けた場合の斜視図（傘を畳んだ状態）
【図３】  傘の先端の正面図（傘を差した状態）
【図４】  傘の先端の正面図（傘を畳んだ状態）
【図５】  傘の先端の断面図（傘を畳んだ状態）
【符号の説明】
１プラスチックカップ
２スポンジ
【図１】
2007289608.tif 000003
【図２】
2007289608.tif 000004
【図３】
2007289608.tif 000005
【図４】
2007289608.tif 000006
【図５】
2007289608.tif 000007
(57)【要約】【課題】火山岩で形成された焼き板で長時間、強火の火力で調理する時、ひび・割れが発生する。【解決手段】長時間、強火の火力で調理をしても、熱処理を施す事により、ひび・割れが発生しない。【選択図】図１
2007289610.tif 000002
【特許請求の範囲】
【請求項１】
熱処理を施すことを特徴とする火山岩で形成された焼き板。
【請求項２】
前記の熱処理は１，２００℃以下で９５０℃以上の窯で１０時間焼入れを行い、炉冷１０時間施すことを特徴とする請求項１記載の火山岩で形成された焼き板。
【発明の詳細な説明】
【技術分野】
【０００１】  この発明は、ガスや薪・炭によって加熱される、主に焼肉を調理する火山岩で形成された焼き板の熱処理に関する。
【背景技術】
【０００２】  従来の火山岩で形成された焼き板は熱処理が施されていないものである。
【発明の開示】
【発明が解決しようとする課題】
【０００３】しかしながら、以上の技術によれば、火山岩で形成された焼き板で長時間、強火の火力で調理する時、ひび・割れが発生する。
そこで、この発明は、ひび・割れを防ぐことを提供することを課題とする。
【課題を解決するための手段】
【０００４】  以上の課題を解決するために、熱処理が施されていない、火山岩で形成された焼き板を熱処理し、組織を均一にすることを特徴とする火山岩で形成された焼き板。
【発明の効果】
【０００５】  長時間、強火の火力で調理をしても、熱処理を施す事により、ひび・割れが発生しない。
【発明を実施するための最良の形態】
【０００６】  この発明の一実施形態を、写真１に示す。
この火山岩で形成された焼き板本体１は熱処理が施されている。【０００７】「実施形態の効果」
この実施形態によれば、ひび・割れを防ぐ事によって、ひび・割れた部分から肉の脂が垂れて引火する危険を防ぐ。
【図面の簡単な説明】
【０００９】
【図１】（写真１）この発明の一実施形態を示す斜視写真である。
【図２】（写真２）従来技術を示す斜視写真である。
【図１】
2007289610.tif 000003
【図２】
2007289610.tif 000004
(57)【要約】      （修正有）【課題】電気洗濯機における洗濯作業の際、洗濯洗剤が十分に溶解できる様に、二重になった細目の網の袋の中に洗濯ボールを備えた洗濯用粉洗剤の溶解促進具を提供する。【解決手段】洗濯洗剤が溶けやすいように、細目の網（５）で二重に縫製した袋（１）の中に、洗濯ボール（４）を備えたことを特徴とする洗濯用粉洗剤の溶解促進具である。【選択図】図１
2007289606.tif 000002
【特許請求の範囲】
【請求項１】
洗濯洗剤が溶けやすいように、細目の網（５）で二重に縫製した袋（１）の中に、洗濯ボール（４）を備えたことを特徴とする洗濯用粉洗剤の溶解促進具。
【発明の詳細な説明】
【技術分野】
【０００１】  本発明は、電気洗濯機における洗濯作業の際、洗濯洗剤が十分に溶解できる様に、二重になった細目の網の袋の中に洗濯ボールを備えたことを特徴とする洗濯用粉洗剤の溶解促進具に関するものである。
【背景技術】
【０００２】  従来、電気洗濯機における洗濯作業の際、洗濯したあと、粉洗剤が溶解しなくて、残って困っていた。
【発明の開示】
【発明が解決しようとする課題】
【０００３】  そのために、つぎのような問題点があった。
（イ）とくに、冬は水が冷たくて粉洗剤が溶けにくかった。
（ロ）洗濯物が厚手のときに溶けにくかった。
本発明は、以上の問題点を解決しようとするものである。
【課題を解決するための手段】
【０００４】  洗濯洗剤が溶けやすいように、細目の網（５）で二重に縫製した袋（１）の中に、洗濯ボール（４）を備えたことを特徴とする洗濯用粉洗剤の溶解促進具である。
【発明効果】
【０００５】  本発明を使用することで、粉洗剤が網袋の中で、洗濯ボールがクルクル回ることにより、粉洗剤が溶けやすくなった。
【発明を実施するための最良の形態】
【０００６】  以下、本発明の実施の形態について説明する
（イ）細目の網（５）で二重に縫製した袋（１）の上部の開口部（３）を設け、開口部（３）にファスナー（２）を設ける。
（ロ）袋（１）の中に、粉洗剤が、溶けやすいようにクルクル回る洗濯ボール（４）を設ける。
（ハ）粉洗剤を投入するとき、洗濯ボールが外へ出てこないように、細目の網（５）を袋（１）の中心より上の方にゆるやかに付ける。
本発明は以上の構成によりなっている。
本発明を使用するときは、上記の粉洗剤の溶解促進具に粉洗剤を投入し、電気洗濯機の中に投入する。
袋（１）は粉洗剤が溶けやすいように洗濯ボール（４）がクルクル回りやすいように袋（１）も少し丸みを付けた。
洗濯が終って脱水するときも洗濯ボール（４）は、そのままで布類をいためることはない。
【図面の簡単な説明】
【０００７】
【図１】  本発明の斜視図である。
【符号の説明】
【０００８】１  袋
２  ファスナー
３  開口部
４  洗濯ボール
５  細目の網
【図１】
2007289606.tif 000003
(57)【要約】      （修正有）【課題】従来のトイレットペーパー装填器具のカッターでは、ペーパーを切った際、ペーパーの先端がロールにくっついている上、ロールが回転するのでペーパーをつまみ出すのに難渋する。【解決手段】カバー部１に、カバー部１の先端より長いカッター部２を、上下に開閉出来る形態に取り付け、カバー部１とカッター部２を二枚構造にした。ペーパーを切ると、カバー部１の先端からカッター部２の先端までペーパーの先頭部分４が引出されて残る。次にカッター部２を持上げ、カバー部１を押さえてロールの回転を止めると、容易にペーパーをつまみ出す事が出来る。【選択図】図１
2007289603.tif 000002
【特許請求の範囲】
【請求項１】
カバー部（１）に、カバー部の先端より長いカッター部（２）を上下に開閉出来るように取り付けたトイレットペーパーの装填器具。
【発明の詳細な説明】
【技術分野】
【０００１】  本発明はトイレットペーパーの装填器具のカッター部の構造に関する。
【背景技術】
【０００２】  従来のカッター部は、一枚でカバー兼用になっている。
【発明の開示】
【発明が解決しようとする課題】
【０００３】  従来の器具のカッターでペーパーを切ると、切口がロールにくっつく上に、カッターを持ち上げると押さえが効かなくなりロールが回転するので、ペーパーの先端をつまみ出すのに難渋するのを解決しようとするものである。
【課題を解決しようとする課題】
【０００４】  カバーの押さえによりロールの回転を止め、尚且、ペーパーの先頭部分がカバーの先端から突出していれば、ペーパーをつまみ出すのが容易になる。
そこで、カバー部（１）とカッター部（２）を二枚構造にして解決した。
【発明の効果】
【０００５】  カッター部（１）を持ち上げ、カバー部（２）を押さえると、ペーパーをつまんで引き出すのが、いとも簡単に出来る。
【発明を実施するための最良の形態】
【０００６】  カバー部（１）に、カバー部（１）の先端より長いカッター部（２）を上下に開閉出来る形態で取り付けた。
カッター部（２）でペーパーを切ると、カバー部（１）の先端からカッター部（２）の先端までペーパーの先頭部分（４）が引出されて残るので、カッター部（２）を持ち上げ、カバー部（１）を押さえると容易にパーパーをつまむ事が出来る。
【実施例１】
【０００７】  自宅で実施しているが、最高です。
【産業上の利用可能性】
【０００８】  住宅は勿論、特に官庁、会社やホテル、駅、電車、航空機、汽船など公衆トイレの場合、ペーパーの先頭部分（４）がカッター部（２）で覆われている為、衛生上も良いし、薄いペーパーでも容易に引出せる。
【図面の簡単な説明】
【０００９】
【図１】  本発明のカッター部（２）を持ち上げた状態のトイレットペーパー装填器具の斜視図。
【図２】  本発明のカッター部（２）を有するトイレットペーパー装填器具の断面図。
【符号の説明】
【００１０】  １．カバー部
２．カッター部
３．芯棒を通してカバー部（１）にカッター部（２）を装着する蝶番部
４．カバー部（１）の先端から、カッター部（２）の先端まで引出されたペーパーの先頭部分
５．トイレットペーパー
６．カバー部（１）を装填器具本体に固定する芯棒を通す所
【図１】
2007289603.tif 000003
【図２】
2007289603.tif 000004
(57)【要約】【課題】本発明は、同じ食器に盛った多数の料理が、野菜にかけるドレッシングや水分などで、混ざり合うのを防ぐランチョンマットを提供する。【解決手段】本発明は、図２を参照して分かる様に、ランチョンマットに勾配を設けることにより、ランチョンマット上の食器にも勾配を付け、食器の中の野菜ドレッシングや水分などが他の料理に流れるのを防ぐ。【選択図】図２
2007289601.tif 000002
【特許請求の範囲】
【請求項１】
ランチョンマットに勾配を設ける事で、食器に盛った野菜の水分やドレッシングがその他のおかずと混じり合う事を防ぐ斜めのランチョンマット。
【発明の詳細な説明】
【技術分野】
【０００１】本発明は食事の際に食器に敷いて使用されるランチョンマットに関するものである。
【背景技術】
【０００２】他の発明のランチョンマットは、特許文献１、特許文献２のように主にランチョンマットのみの便利さを発明したものが多かった為、本発明はランチョンマットを敷くことにより、食器に対しての便利な機能性を得るランチョンマットを発明した。
【特許文献１】特開２００５−０３４１７２
【特許文献２】特開２００３−１３５２４３
【発明の開示】
【発明が解決しようとする課題】
【０００３】本発明は、ただ食器に敷くだけという発想ではなく、機能性を生かしたランチョンマットを提供する事を目的とする。
【課題を解決するための手段】
【０００４】ランチョンマットに勾配を設ける事で、食器に盛った野菜の水分やドレッシングがその他のおかずと混じり合う事を防ぐ。
【発明の効果】
【０００５】本発明の斜めのランチョンマットを用いれば、野菜とおかずを別々の食器に盛り合わせる必要も無くなり、１つの食器に盛り合わせられるため、食事の後の洗い物も軽減でき、さらに２枚のランチョンマットを組み合わせることによって土鍋などの敷物としても使用できるため、一石二鳥の効果を発揮する。
【発明を実施するための最良の形態】
【０００６】実施例に対応する図２を参照して説明すると、ランチョンマットに厚みを持たせｗ１からｗ２にかけて図２の４の様に５％の勾配を設けることにより、ランチョンマット上の食器にも勾配がつき、食器に盛った野菜などからの水分やドレッシングが他のおかずに流れるのを防止することができる。また、図１の１の様に表面は滑り止め加工、そして３の様に引っかかりを付けることにより食器がランチョンマットから滑り落ちるのを防ぐ。そして、２の様に表面に勾配の向きを記すことにより、一目で勾配の向きが見てとれる。さらに、５の様に溝を付けることによって、図３の様に２枚のランチョンマットを組み合わせる事ができ、土鍋などの敷物としても使用することができる。
【実施例】
【０００７】図１が示す様に、ランチョンマット上には滑り止め及び、引っかかりが設けられている為、食器を置いても滑り落ちることは無い。図２を説明すると、ｗ１からｗ２にかけて５％の勾配を設けているので、当然ランチョンマット上の食器にも５％の勾配が生まれる。より分かりやすく説明するならば、ランチョンマットが２０ｃｍ角で形成されている場合、ｗ１を２ｃｍとし、ｗ２を１ｃｍとすれば５％の勾配を確保することができ、食器上の野菜の水分及びドレッシングがおかずに流れることは無い。また、図３の様に、２枚のランチョンマットを組み合わせることにより、土鍋などの敷物にも利用できる。
【図面の簡単な説明】
【０００８】
【図１】本発明の斜めのランチョンマットの立体図である。
【図２】同、ランチョンマットの勾配の見取り図である。
【図３】２枚のランチョンマットを組み合わせた図である。
【符号の説明】
【０００９】  １．表面は滑り止め加工。
２．勾配の向きを示した印。
３．食器の転落を防ぐ引っかかり。
４．勾配。
５．溝。
ｗ１、ｗ２  厚み。
【図１】
2007289601.tif 000003
【図２】
2007289601.tif 000004
【図３】
2007289601.tif 000005
(57)【要約】【課題】  本発明は足の汗を吸収し、足の蒸れを防ぐことを目的とした靴の中敷に関するものである。一般に吸汗する素材として使用されている発砲ゴムや活性炭では吸汗量が少ないため、乾燥剤を使用することにより吸汗性に優れた靴の中敷を提供する。【解決手段】  薄いプラスチックを足型で中空の形状にして、多数の小穴を開けた上面部の外周の一部を底面部と溶着させ、他部を非溶着にすることにより上面部を開閉可能として、乾燥剤を入れた袋体の出し入れを自在にした靴の中敷。【選択図】図４
2007289605.tif 000002
【特許請求の範囲】
【請求項１】
薄いプラスチックを足型で中空の形状にして、多数の小穴を開けた上面部の外周の一部を底面部と溶着させ、他部を非溶着にすることにより上面部を開閉可能として、乾燥剤を入れた袋体の出し入れを自在にした靴の中敷。
【発明の詳細な説明】
【技術分野】
【０００１】  本発明は足の汗を吸収し、足の蒸れを防ぐことを目的とした靴の中敷であって、乾燥剤を使用することにより吸汗性に優れた靴の中敷に関するものである。
【背景技術】
【０００２】  従来、靴を履く時に足の蒸れを防ぐために、通気性や吸汗効果のある中敷を使用していた。
【発明の開示】
【発明が解決しようとする課題】
【０００３】  従来の中敷は、次のような問題点があった。
（イ）通気性のある素材を使用しているが、足の蒸れを防ぐことはできない。
（ロ）吸汗性のある素材を使用しているが、吸収できる汗の量が非常に少なく、１０時間で発生する片足の汗の量が１０ｃｃ以上あるにも拘わらず、吸水性を謳っている中敷ですら１０時間で０．５ｃｃ程度の吸汗量であった。
結果として、足の蒸れを防ぐことは革靴の場合では革の吸湿および蒸散効果に委ねられていたが限界があり、数時間革靴を履いていると足は蒸れてしまう。
本発明は、以上の問題点を解決したものである。
【課題を解決するための手段】
【０００４】  乾燥剤を入れた袋体を挿入して使用する中空でプラスチック製の靴の中敷。薄いプラスチックを足型で中空の形状にして、多数の小穴を開けた上面部の外周の一部を底面部と溶着させ、他部を非溶着にすることにより上面部を開閉可能として、乾燥剤を入れた袋体の出し入れを自在にした。
本発明は、以上のような構成からなる靴の中敷である。
【発明の効果】
【０００５】  乾燥剤を入れた袋体を１日１回昼に交換することで、靴の中は湿り気が非常に少なく、蒸れることがなくなった。
実験では、片足の汗の量は１０時間で約１５ｃｃであったが、本中敷（片足の乾燥剤（シリカゲル）１２ｇ・昼に１回交換）で吸収する汗の量は約６〜７ｃｃであった。
【発明を実施するための最良の形態】
【０００６】  以下、本発明の実施の形態について説明する。
（イ）不職布などの生地からなる足型の袋体（１）にシリカゲルなどの乾燥剤（２）を入れ密閉する。乾燥剤を入れた袋体（１）は厚さ１．５ｍｍである。
（ロ）乾燥剤（２）の片寄りを防ぐために、上記の袋体（１）は幅１ｃｍの間隔で間仕切り（３）をする。
（ハ）薄いプラスチックを足型で中空（４）の形状にし中敷は、上面部（５）の外周の一部を底面部（６）と溶着（７）させ、他部を非溶着（８）として、上面部を開閉可能とすることで、袋体の出し入れを自在にした。また、表面部には空気流通のための多数の小穴（９）を開ける。踵部分にはスポンジ部材（１０）を設ける。中敷は厚さ２．０ｍｍである。
（ニ）止め具（１１）は上面部プラスチックの非溶着部の一部を底面部にＬ字状に巻き込む構造であるため開閉が容易で、袋体（１）のはみ出しも防ぐことができる。
本発明は以上の構成からなる靴の中敷である。
以下、使用方法について説明する。
プラスチック製の中敷の止め具（１１）を外して非溶着部（８）を開け、乾燥剤を入れた袋体（１）を挿入して使用する。乾燥剤がシリカゲルの場合には袋体は連続して５時間程度の使用が可能で、１日中靴を履く場合には昼に袋体の交換が必要になる。吸汗した乾燥剤は袋体に入れたままでドライヤー等を使用して５〜１０分で乾燥することができ、繰り返して使用できる。
【図面の簡単な説明】
【０００７】
【図１】本発明の正面図
【図２】本発明の縦断面図
【図３】本発明の横断面図
【図４】本発明の使用説明図
【符号の説明】
【０００８】  １は袋体
２は乾燥剤
３は間仕切り
４は中空
５は上面部
６は底面部
７は溶着
８は非溶着
９は小穴
１０はスポンジ部材
１１は止め具
【図１】
2007289605.tif 000003
【図２】
2007289605.tif 000004
【図３】
2007289605.tif 000005
【図４】
2007289605.tif 000006
(57)【要約】【課題】炭酸ガスの分解は、植物の炭素同化作用に頼るしか方法はなかつた。【解決手段】マグネシウムの、他に類の無い特性であるところの、周囲に酸素が無いと堅固な共有結合した物質から、その酸素を奪ってでも燃焼すると言う性質を利用し、周囲を炭酸ガスのみで満たした上で、マグネシウムを燃焼させて炭酸ガスを分解する方法である。なお、この方法は、一酸化炭素ガスにおいても、同様に分解できる方法である。【特許請求の範囲】
【請求項１】
マグネシュウムを使用する事を特徴とする炭酸ガスの分解方法。
【発明の詳細な説明】
【技術分野】
【０００１】  この発明は、炭酸ガスを人工的に分解する方法に関する。
【背景技術】
【０００２】今まで、炭酸ガスは、植物による炭素同化作用といわれる自然がおこなってくれている方法でしか分解できなかつた。
現在問題となっている炭酸ガスの影響をみれば、それが証明されているといえる。
炭酸ガスの堅固な共有結合により、人工的なすべての方法が分解に成功しなかつたからである。
【発明の開示】
【発明が解決しようとする課題】
【０００３】しかしながら、以上の技術によれば、植物に頼るしか方法はなく、人工的に大量に分解するなぞとゆう事は、出来なかった。
そこで、この発明は，人工的方法でしかも大量に炭酸ガスを分解する方法を提供することを課題とする。
【課題を解決するための手段】
【０００４】以上の課題を解決するために、第一発明は、金属マグネシュウムの、他に類のない特性を利用することを特徴とする、炭酸ガスの人工的分解方法である。
【発明の効果】
【０００５】マグネシウムは、発火すると劇しく燃焼するが、周囲に酸素が無い場合は、他の竪固な結合をした物質からでも、その酸素を奪ってでも燃焼する特性を持つ元素である。
これを利用し、周囲を炭酸ガスで満たし酸素が無い状態にし内部でマグネシュウムを燃焼させると、その結合酸素を奪って燃焼し続け、炭酸ガスが無くなるまでそれを持続させる。
これは、よく知られた反応で、目新しいことではなく、ただ炭酸ガスの分解方法としては、考え付かなかっただけで、周知の確認されている反応である。
そして、どのようになるかは，下記の良く知られた反応式となる。
【化１】
2007289908.tif 000002
この反応式より炭酸ガスは、酸化マグネシウムと炭素となり、分解される事をしめす。
分解される量は、炭酸ガスの分子量が４４、２Ｍｇが２４だから、炭酸ガス４４グラムを分解するのには、２４グラムのマグネシウムが必要となる事をもしめす。
炭酸ガスの容量は、標準状態の体積で、４４グラムで２２・４リットルとされており、２４グラムのマグネシウムで、２２・４リットルの純炭酸ガスが分解できる事が判る。
なお、炭酸ガスは、マグネシウムの反応時間の関係で気体が効率よく、例えばドライアイスの様な運搬しやすく、気化が楽に行える形態が、反応時間も短く、分解と気化が繰り返し行う事が出きるので、時間的にも有利である。
マグネシウムの量は、地球の元素のなかで、８番目に多いとされており、リサイクル性にすぐれ、リサイクルシステムの整備も、他の金属より簡単で，新材製造時の５パアセント程度のコストで、リサイクルできるとされている。（下記文献資料より）
【非特許文献１】  ＯＳＡＫＡ  ＦＵＪＩ  Ｃｏｒｐｏｒａｔｉｏｎ  マグネシウムの特性  ｈｔｔｐ／／ｗｗｗ．ｏｆｉｃ．ｊｐ／ｍｇ／ｍａｇｎｅ．ｈｔｍ
【非特許文献２】  Ｗｅｂ版ＣＭＣＲｐｏｒｔ注目技術・市場動向。マグネシウム合金の市場。  ｈｔｔｐ／／ｗｗｗ．ｃｍｃｂｏｏｋｓ．ｃｏ．ｊｐ／ｒｅｅｗ／ｒｅｖｉｅｗ０１＝０７．ｈｔｍｌ
【発明を実施するための最良の形態】
【０００６】この発明の一実施形態を、１図にしめす。
耐熱性のある容器１の底に、燃焼しやすいリボン状のマグネシウム３を置き容器１を炭酸ガスの気体で満たす。
ロウソクの火で、上部まで満たされたことを確認した後、マグネシウム３に、点火した後、蓋２を容器１の上にのせ，密閉する。
【実施形態の効果】
【０００７】この実施形態によれば、マグネシウムが、燃焼した後に蓋２を取り、容器１の中にロウソクの火をいれて消火しなければ、炭酸ガスが全量分解されたことになる。
炭酸ガスのなかでは、火は消えると言う特性を利用したもので、反応後容器１のなかに、炭酸ガスが分解されず残っていれば、その位置まで火が達すると必ず消える。
炭酸ガスは空気より重く、容器１の底に溜まるので外部からの酸素を絶つ為の蓋２は、必ずしも必要ではなく酸素は入り込めないが、より正確を期すためである。
仮に、容器１の容量が２リットルだとすれば、マグネシウムの量は、前述の化学式［化１］より全量分解するには、約３グラムあれば良いことが判る。
【他の実施形態】
【０００８】図１の実施形態では、炭酸ガスの分解効果を確認する為の小規模実施例だが、他の実施形態では、大規模に分解する場合でも、まったく同様に、その規模のみ大きくすればよく、耐熱性のある上部に開閉できるシステムをもつ密閉できる部屋または空間をつくり、その底辺部分に連続してマグネシウムを供給できる様にし、マグネシウムを発火させる装置を設備すれば、部屋または空間に応じた量の炭酸ガスが分解できる。
分解する炭酸ガスの、約半分強の重量のマグネシウムが必要なので、２トンの炭酸ガスの分解には、約１トン強のマグネシウムを用意すればよく、その規模に応じた容量と耐熱性と、外部酸素を遮断さえ出来れば、他の設備し易い方式のものでも良い。
【図面の簡単な説明】
【０００９】
【図１】この発明の一実施形態を示す透視図である。
【符号の説明】
【００１０】１  耐熱性容器    ２  耐熱性蓋    ３  リボン状マグネシウム
【図１】
2007289908.tif 000003
(57)【要約】      （修正有）【課題】雪見大福を応用したメロンをまぜたアイスクリーム及びまんじゅうの提供。【解決手段】ソフトクリームの中にメロンをまぜたアイスクリーム、メロンの味のする身の中にメロンジャムを入れたアイスクリーム及びまんじゅう、メロンの味のする身の中に漉し餡か粒あんを入れたアイスクリーム及びまんじゅう、メロンの味のする身の中にイチゴジャムを入れたアイスクリーム及びまんじゅう、メロンの味のする身の中にオレンジジャムを入れたアイスクリーム及びまんじゅう、メロンの味のする身の中に黄色のクリームを入れたアイスクリーム及びまんじゅう。【選択図】図１
2007289141.tif 000002
【特許請求の範囲】
【請求項１】
ソフト（バニラ）クリームの中にメロンをまぜたアイスクリーム
メロンの味のする身の中にメロンジャムを入れたアイスクリーム・まんじゅう
メロンの味のする身の中にこしあんかつぶあんを入れたアイスクリーム・まんじゅう
メロンの味のする身の中にイチゴジャムを入れたアイスクリーム・まんじゅう
メロンの味のする身の中にオレンジジャムを入れたアイスクリーム・まんじゅう
メロンの味のする身の中に黄色のクリームを入れたアイスクリーム・まんじゅう
【発明の詳細な説明】
【技術分野】
【０００１】この発明はソフトクリームの中にメロンをまぜたアイスクリーム
本体メロンの味のする身の中にメロンジャムを入れたアイスクリーム・まんじゅう
本体メロンの味のする身の中にこしあんかつぶあんを入れたアイスクリーム・まんじゅう
本体メロンの味のする身の中にイチゴジャムを入れたアイスクリーム・まんじゅう
本体メロンの味のする身の中にオレンジジャムを入れたアイスクリーム・まんじゅう
本体メロンの味のする身の中に黄色のクリームを入れたアイスクリーム・まんじゅう
【背景技術】
【０００２】カップ入りアイスクリームとまんじゅう型を考えた。
【発明の開示】
【発明が解決しようとする課題】
【０００３】雪見大福の応用であり、それをしのごうと考案したものである
【課題を解決するための手段】
【０００４】ソフトクリームの中にメロンをまぜあわせたカップアイスクリーム
2007289141.tif 000003
【発明の効果】
【０００５】おいしいアイスクリームができると思った。
おいしいまんじゅうができると思った。
【発明を実施するための最良の形態】
【０００６】以下本発明の実施例について説明する
図１の２はカップアイスクリーム本体であり、１はフタである。
図２の１はメロンの味のする身であり、２はメロンジャムである
図３の１はメロンの味のする身であり、２はこしあんかつぶあんである。
図４の１はメロンの味のする身であり、２はイチゴジャムである。
図５の１はメロンの味のする身であり２はオレンジジャムである。
図６の１はメロンの味のする身であり２は黄色のクリームである。
【図面の簡単な説明】
【０００７】
【図１】本発明の斜視図である。
【図２】本発明の斜視図である。
【図３】本発明の斜視図である。
【図４】本発明の斜視図である。
【図５】本発明の斜視図である。
【図６】本発明の斜視図である。
【符号の説明】
【０００８】図１の１  フタ
２  本体
図２の１、メロンの味のする身
２  メロンジャム
図３の１  メロンの味のする身
２  こしあんかつぶあん
図４の１、メロンの味のする身
２  イチゴジャム
図５の１、メロンの味のする身
２  オレンジジャム
図６の１、メロンの味のする身
２、黄色のクリーム
【図１】
2007289141.tif 000004
【図２】
2007289141.tif 000005
【図３】
2007289141.tif 000006
【図４】
2007289141.tif 000007
【図５】
2007289141.tif 000008
【図６】
2007289141.tif 000009
(57)【要約】【課題】樽の香味と熟成感を付与した、非アルコール飲料または液体状食品を、低コストで安易に製造できる利用法を確立する。【解決手段】オークチップ等と非アルコール飲料もしくは液体状食品とを接触処理する製造方法。また本発明は、接触処理後に熟成させる事も特徴とする、香味の改善された非アルコール飲料もしくは液体状食品の製造法を提供する。本発明により、樽その物を使用するよりも短期間で安価に熟成感を与え、味・風味などの重厚感が安易に付与でき、高付加価値製品を得る事ができる。【特許請求の範囲】
【請求項１】
非アルコールの飲料または液体状食品類を、オークチップまたはオーク材の木片、これに変わる樽香を付与させる代替品と（樽本体は除く）、放置（貯蔵）する手段を特徴とする、香味の改善された非アルコール飲料または液体状食品類の製造法。
【請求項２】
非アルコールの飲料または液体状食品類を、オークチップまたはオーク材の木片、これに変わる樽香を付与させる代替品を（樽本体は除く）、ろ過剤という用途でろ過させる事を特徴とする、香味の改善された非アルコール飲料または液体状食品類の製造法。
【請求項３】
非アルコール飲料・液体状食品の種類や状態などによっては、製品の一部に対してオークチップを多量に添加して、最終的にチップ無添加製品とブレンドを行う製造法。
【請求項４】
２週間以上放置（貯蔵）する事で熟成させる、請求項１記載の製造方法。
【請求項５】
請求項２記載の作業後に、２週間以上熟成させる製造方法。
【請求項６】
オークチップをポップコーン機（真空状態に出来る機械）で膨張させ、接触させる製品との接触面積を広げる処理を行ったオークチップを使用した請求項１・請求項２・請求項３・請求項４・請求項５記載の製造方法。
【発明の詳細な説明】
【技術分野】
【０００１】本発明は、従来ある非アルコール飲料・食品・食材に樽香を付与する事によって、付加価値を与え、味わいや香味に熟成感・重厚感・高級感を与える製造方法である。
【背景技術】
【０００２】非アルコール飲料・食品などは、商品ライフサイクルの短期化や、消費者ニーズの多様化に伴い、香味に高級感のある商品なども求められている。【０００３】従来、オークチップは酒類醸造・熟成の用途で用いられており、非アルコール飲料や食品類に樽の香りを意図的に付与して、香気の改善を行い、重厚感や高級感を与えた商品は無かった。
【発明の開示】
【発明が解決しようとする課題】
【０００４】酒醸造等で使用される樽を使用すると、コスト的に高く、樽の設置場所なども確保しなければならない。更に熟成感を与えるまでに時間がかかり、液漏れなどメンテナンスも必要になるという問題がある。【０００５】したがって本発明は、本来の目的である熟成感のある樽香の付与を、低コストで樽の設置場所も必要なく、短期間で与える事ができる。
【課題を解決するための手段】
【０００６】従来存在する非アルコール飲料・液体状食品に、オークチップを接触処理させる事により、短時間かつ効率的に樽香をこれらの製品に付与させる。具体的には以下の通りである。【０００７】▲１▼  非アルコール飲料・液体状食品とオークチップ類を同じ容器（タンク類）に添加し放置（貯蔵）・熟成を行う。
▲２▼  非アルコール飲料・液体状食品とオークチップ類をろ過剤（フィルターの代替品）と  して使用し、樽香を付与させる。
▲３▼  樽香を付与させようとする非アルコール飲料・液体状食品の種類や状態などによっては、製品の一部に対してオークチップを多量に添加して、最終的にチップ無添加製品とブレンドを行う方法をとっても良い。
▲４▼  ２週間以上放置（貯蔵）する事で熟成させる、▲１▼記載の製造方法。
▲５▼  ▲２▼記載の作業後に、２週間以上熟成させる製造方法。
▲６▼  オークチップをポップコーン機等（真空に出来る機械）で膨張させ、接触させる製品との接触面積を広げる処理を行ったオークチップを使用した▲１▼▲２▼▲３▼▲４▼▲５▼記載の製造方法。
【発明の効果】
【０００８】非アルコール飲料・液体状食品に樽香を付与する事により、熟成感と今までにない複雑な香気を与え、嗜好性の幅に貢献する付加価値製品を製造する事が出来る。【０００９】オークチップ類の使用によって、樽そのものを使用するより低コスト・短期間で製品化が可能である。
【発明を実施するための最良の形態】
【００１０】非アルコール飲料・液体状食品の種類や状態、チップの種類や焼き具合で、チップの添加量や接触期間には幅があるが、瓶詰めする前の貯蔵タンク内などで一括してオークチップを１．５〜３ｇ／ｌの範囲で添加して、チップとの接触期間は少なくとも２週間から４週間は必要。【００１１】樽香を付与させようとする非アルコール飲料・液体状食品の種類や状態などによっては、製品の一部に対してオークチップを多量に添加して（約１５０ｇ／ｌ）、最終的にチップ無添加製品とブレンドを行う方法をとっても良い。【００１２】オークチップをポップコーン機等（真空に出来る機械）で膨張させ、接触させる製品との接触面積を広げる処理を行ったオークチップを使用して［００１０］［００１１］記載の工程を行うと、チップとの接触期間を短縮できる。
【実施例】
【００１４】実施例１
インスタントコーヒーをお湯で溶解させた液体に、オークチップを３ｇ／ｌ添加して蓋のある同一容器に入れ、２週間接触処理させた。【００１５】２週間接触処理したコーヒーと、同一の条件でお湯に溶解させただけのインスタントコーヒーを官能的に比較分析したところ、明らかにオークチップを使用したコーヒーに樽香の複雑性がプラスされていた。
【手続補正書】
【提出日】平成19年8月17日(2007.8.17)
【手続補正１】
【補正対象書類名】特許請求の範囲
【補正対象項目名】請求項６
【補正方法】変更
【補正の内容】
【請求項６】
オークチップを機械等で膨張させ、製品との接触面積を広げる処理を行ったオークチップの使用による、請求項１・請求項２・請求項３・請求項４・請求項５記載の製造方法。
【手続補正２】
【補正対象書類名】明細書
【補正対象項目名】００１３
【補正方法】変更
【補正の内容】
【００１３】オークチップを機械等で膨張させ、製品との接触面積を広げる処理を行ったオークチップの使用による、請求項１・請求項２・請求項３・請求項４・請求項５記載の製造方法。
(57)【要約】【課題】  この発明は、田畑を荒らす猪、猿などを追い払う害獣撃退装置を提供する。【解決手段】  円筒の中に、釣り鐘状の吊り円筒をを設け、その内部にセンサーリードを取り付けて音響発生器内のＩＣ化されているタイマーに、スタート信号が送られれば一定時間警報音が鳴る仕組みの害獣撃退装置である。【選択図】図１
2007289140.tif 000002
【特許請求の範囲】
【請求項１】
田畑や竹林に張り巡らした釣り糸に足を掛けて引っ張ると、円筒の中に設けたセンサーに反応し、スピーカーから大音響や動物の嫌う超音波を出し猪や猿などを撃退する装置。
【発明の詳細な説明】
【技術分野】
【０００１】  この発明は、猪や猿、鹿などから田畑や竹林の農作物を守る獣害撃退装置に関するものである。
【背景技術】
【０００２】  従来、田畑の周りに高圧電流を通電させた電気柵を張り巡らし、猪の侵入を防いでいたが絶縁や保全、安全などの手間や維持費の負担が多かった。また、猿や鹿は難無く電気柵を乗り越え田畑や竹林の農作物を荒らして農家の人達を困らせていた。
【発明の開示】
【発明が解決しようとする課題】
【０００３】  そのために、次のような問題点が生じていた。
（イ）害獣を確実に追い払う手段が見いだせず、田畑や竹林などが荒らされ、甚大な被害を受け続けるため、農家の人達の費用負担が増え生産意欲をそいでいた。
本発明は、以上の問題点を解決したものである。
【課題を解決するための手段】
【０００４】  円筒の中に、釣り鐘状の吊り円筒を設け、その内部にセンサーリードを取り付けて音響発生器内のＩＣ化されているタイマーに、スタート信号として送られれば、一定時間警報音が鳴る仕組みの装置。
以上の構成からなる猪や猿、鹿などの害獣撃退装置である。
【発明の効果】
【０００５】  したがって、円筒内の釣り鐘状の吊り円筒から導き出したセンサーリードに木綿糸を結び、さらに道糸としてナイロンの釣り糸を繋いで田畑などに張り巡らすと、猪などが侵入し、釣り糸に足をかけて引っ張るとセンサーが反応して音響発生器のスピーカーを鳴らし、嫌悪と恐怖感を与えるため、二度と害獣の被害に遭わなくなった。
【発明を実施するための最良の形態】
【０００６】以下、本発明の実施の形態について説明をする。
（イ）ビニールパイプを使用した円筒（１）の中にロッド線（２）に吊るした吊り円筒（３）を設ける。
（ロ）吊り円筒の中のロッドに、重り（１１）と接点バンド（１２・１３）を設ける。
（ハ）円筒から２本のセンサーリード（４）を外に出し、木綿糸（２０）および釣り糸（２１）に結び付ける。
（ニ）円筒から取り出した信号用リード線（５）のジャック（７）に音響発生器（１５）から出ているプラグ（８）を差し込む。
本発明は以上の構成からなる、猪や猿、鹿などの害獣撃退装置である。以下使用法について説明する。
円筒（１）の固定サドル（４）に鉄棒（１９）を差し込み円筒を田畑などに、しっかり固定する。次に円筒から出た２本のセンサーリード（４）に猪などが引き回したとき切断するように、木綿糸（２０）を結び、その糸に釣り糸（２１）を繋ぎ、地表から１０〜２０ｃｍの高さに保ちながら、土地の両方向にジグサグに５０〜１００ｍ張り巡らせる。釣り糸の末端は、杭や樹木（２２）に結び固定する。
また、円筒から出している信号リード線（５）のジャック（７）に音響発生器（１５）のプラグ（８）を差し込み、通電状態にする。
したがって、害獣が田畑に侵入し、釣り糸に足をかけ引っ張ったとき、センサーが働いて、スピーカー（１８）から大音響が発生し追い払う。このために害獣の被害がなくなった。スピーカーのほか、人が聞こえない周波数の超音波やフラッシュ装置との付け替えも可能である。
【図面の簡単な説明】
【０００７】
【図１】  本発明の斜視図
【図２】  本発明の原理説明図
【図３】  本発明の使用説明図
【符号の説明】
【０００８】  １は円筒
２はロッド線
３は吊り円筒
４はセンサーリード
５は信号用リード線
６はリード止め
７はジャック
８はプラグ
９はポール玉
１０はポール止め
１１は重り
１２は接点バンドＡ
１３は接点バンドＢ
１４は固定サドル
１５は音響発生器
１６はスイッチ
１７は６ボルト単１電池
１８はスピーカー
１９は鉄棒
２０は木綿糸
２１は釣り糸
２２は杭又は樹木
【図１】
2007289140.tif 000003
【図２】
2007289140.tif 000004
【図３】
2007289140.tif 000005